(57)【特許請求の範囲】
【請求項１】
電子装置でフレキシブルプリント基板をスライド装置に組み立てるための治具において、
前記フレキシブルプリント基板と前記スライド装置とを支持する組み立て用面と、その組み立て用面の一端に形成される圧接装置収納部とを具備する本体と、
前記圧接装置収納部に収納されて、前記フレキシブルプリント基板を前記スライド装置に組み立てる圧接装置と、
を含むことを特徴とする治具。
【請求項２】
前記本体は、上表面と、その上表面と相対する底面とを含み、
前記上表面には、下へ凹んだ矩形の収納槽が形成され、
前記組み立て用面は、前記収納槽の内部に上方へ突出して形成され、
前記組み立て用面の上表面と前記収納槽には、前記スライド装置を位置決めする複数の位置決めピンが形成されていることを特徴とする請求項１に記載の治具。
【請求項３】
前記本体は、前記収納槽の両端にそれぞれ形成される２つの止動部と、前記上表面の一端の中心部に垂直方向へ突出して形成される位置決め用突出部とを更に含み、
前記２つの止動部により、前記収納槽と止動部との間に２つの止動槽がそれぞれ形成され、
前記位置決め用突出部の上表面には、２つの位置決め用柱が形成されていることを特徴とする請求項２に記載の治具。
【請求項４】
前記圧接装置収納部は、前記位置決め用突出部と前記組み立て用面との間に形成され、且つ前記本体の上表面から底面まで貫通される圧接装置通過用穴を含み、
前記圧接装置は、前記圧接装置収納部の圧接装置通過用穴に収納され、且つ一端に形成される圧接端及び他端に形成される作用端を具備する挿入体を含むことを特徴とする請求項３に記載の治具。
【請求項５】
前記圧接装置収納部は、前記位置決め突出部の両側に形成され、且つ前記収納槽に貫通される２つの収納部と、前記収納部の底面から前記本体の底面まで貫通される２つの収納穴部とを更に含み、
前記圧接装置は、それぞれ前記２つの収納部の収納される２つの移動部材と、それぞれ前記２つの収納穴部に収納され、且つ前記移動部材と滑動可能に係合した２つの連動部材と、を更に含むことを特徴とする請求項４に記載の治具。
【請求項６】
前記移動部材は、移動部材の一端に突出して形成されるストップ構造と、移動部材の側壁に歯状に形成される係合構造とを含み、
前記連動部材は、前記移動部材の係合構造と係合する歯状体がある垂直部と、前記挿入体の作用端と滑動可能に係合する切欠部があるベット部と、を含むことを特徴とする請求項５に記載の治具。
【請求項７】
前記圧接装置は、前記本体の底面に固定され、且つ上表面に一端が開口した凹部が形成される台座をさらに含み、
前記連動部材のベット部が前記凹部に支持され、前記連動部材の垂直部が前記本体の収納穴部に挿入されて前記移動部材と係合することを特徴とする請求項６に記載の治具。
【請求項８】
前記移動部材は、前記ストップ構造と相対する他端に形成される当接平面をさらに含み、
前記圧接装置は、前記圧接装置収納部に収納され、且つ一端が前記移動部材の当接平面に当接され、他端が前記収納部の底面に当接される２つのスプリングを更に含むことを特徴とする請求項７に記載の治具。
【請求項９】
前記本体は、前記位置決め用突出部が形成されない前記上表面の一端に垂直方向へ突出して形成される突出部を更に含み、
前記突出部の下には、前記本体の一端から前記上表面に平行する方向に沿って、突出部の内部へ形成される分解用部材収納部が形成され、
前記分解用部材収納部の内部には、分解用部材が装着されていることを特徴とする請求項８に記載の治具。
【請求項１０】
前記分解用部材収納部の天頂には、前記フレキシブルプリント基板に形成されるコネクタと電気接続するコネクタ挿入部が形成され、
前記分解用部材は、その分解用部材を前記分解用部材収納部の天頂に固定させる装着用穴と、前記コネクタ挿入部を挿入させるコネクタ用穴と、を含むことを特徴とする請求項９に記載の治具。
【請求項１１】
前記突出部に接する前記組み立て用面の一端には、コネクタ用凹部が形成され、
前記コネクタ用凹部の略中心には、前記フレキシブルプリント基板の一端に形成されるコネクタと電気接続する第一コネクタ挿入部が形成されることを特徴とする請求項１０に記載の治具。
【請求項１２】
前記位置決めピンが、前記収納槽の四隅にそれぞれ形成され、前記スライド装置の位置を決める４つの第一位置決めピンと、前記第一コネクタ挿入部の両側に形成される２つの第二位置決めピンと、を含むことを特徴とする請求項１１に記載の治具。
【請求項１３】
前記台座は、凹部の周囲に形成される第一側壁と、第二側壁と、第三側壁と、を含み、
第一側壁及び第三側壁は互いに平行し、前記第二側壁は前記第一側壁及び第三側壁に垂直し、
前記第一側壁及び第三側壁の上端の両端には、前記台座を前記本体の底面に固定させるための２つの穴部がそれぞれ形成されていることを特徴とする請求項７に記載の治具。
【請求項１４】
前記スプリングは、螺旋状スプリング又は弾性がよい弾性体であることを特徴とする請求項８に記載の治具。
【発明の詳細な説明】
【技術分野】
【０００１】
本発明は、治具に関し、特にスライド型電子装置を組み立てる過程でフレキシブルプリント基板をスライド装置に装着させる治具に関する。
【背景技術】
【０００２】
今、携帯電話、携帯情報端末(Personal Digital Assistant、ＰＤＡと略称)などの電子装置は、広く用いられている。前記電子装置の種類として、主に折り畳みタイプ、スライドタイプなどがある。この中で、スライドタイプ電子装置は、体積及びサイズが小さく、外観が美しい利点を有するので、使用者の注目を引いている。
【０００３】
前記スライドタイプ電子装置は、本体と、スライド体と、フレキシブルプリント基板（Flexible printed circuit、ＦＰＣ）と、スライド装置と、を含む。前記スライド装置は、前記スライド体をスライド可能に前記本体の上に装着させて、前記スライド体が前記本体を開閉するようにする。前記フレキシブルプリント基板は、前記スライド装置に設置されている。前記フレキシブルプリント基板一端は、前記本体の電子部品に電気接続され、他端は前記スライド体の電子部品に電気接続されて、本体の電子部品とスライド体の電子部品とを導電させる作用を奏する。
【０００４】
しかし、労働者の手で、前記フレキシブルプリント基板を前記スライド装置に組み立てる場合、長い組み立て時間を必要とし、且つ、前記フレキシブルプリント基板を前記スライド装置の所定の位置に正確に組み立てることは困難であるため、組み立てられた製品の品質に不具合が生じる場合がある。
【発明の開示】
【発明が解決しようとする課題】
【０００５】
以上の問題点に鑑みて、本発明は、フレキシブルプリント基板をスライド装置に装着させる専用治具を提供して、組み立てる時間を減らし、組み立ての正確性を高めることを目的とする。
【課題を解決するための手段】
【０００６】
前記問題を解決するために、電子装置でフレキシブルプリント基板をスライド装置に装着するための専用治具を提供する。前記専用治具は、前記フレキシブルプリント基板と前記スライド装置とを支持する組み立て用面と、その組み立て用面の一端に形成される圧接装置収納部とを具備する本体と、前記圧接装置収納部に収納されて、前記フレキシブルプリント基板を前記スライド装置に装着させる圧接装置と、を含むことを特徴とする。
【発明の効果】
【０００７】
上述したように、前記治具は、前記組み立て用面と圧接装置とを介して、前記スライド装置とフレキシブルプリント基板とを迅速に、正確に組み立てることができる。即ち、スライド装置とフレキシブルプリント基板とを組み立てる効率を向上させることができる。且つ、前記治具で前記スライド装置とフレキシブルプリント基板とを組み立てる場合、前記フレキシブルプリント基板の各種の部材が前記スライド装置の所定の位置に正確に組み立てられるので、組み立て品質を向上させることができる。
【発明を実施するための最良の形態】
【０００８】
以下、図面に基づいて、本発明の実施形態に係る治具について詳細に説明する。
【０００９】
図１は、組み立てようとするスライド装置１０及びフレキシブルプリント基板（Flexible printed circuit、以下ＦＰＣと略称）２０の分解斜視図である。
【００１０】
前記スライド装置１０は、固定体１１と、滑動体１３と、２つの復帰手段１５とを含む。前記滑動体１３は、滑動可能に前記固定体１１に装着され、且つ前記復帰手段１５の回復力により前記固定体１１の一端と他端との間で往復運動をする。前記固定体１１は、第一表面１１１と、その第一表面１１１と相対する第二表面（図示せず）と、を含む薄板体である。前記固定体１１の第一表面１１１の中心には、前記第二表面から第一表面１１１へ凹む突出部１１４が形成されている。前記突出部１１４の一端には、垂直する方向へ延長して形成される当接部１１５と、当該当接部１１５の端面の一端に形成される切欠部１１３と、がある。前記固定体１１の両端には、下へ曲がり、互いに平行する２つの滑動用槽１１６がそれぞれ形成されている。
【００１１】
前記滑動体１３は、略矩形体である。その滑動体１３の両端には、上へ曲がり、且つ互いに平行する２つの係合部１３２が形成されている。前記係合部１３２は、滑動可能に前記固定体１１の滑動用槽１１６に係合される。前記係合部１３２が形成されない前記滑動体１３の一側の中央部には、矩形切欠部１３５が形成されている。前記滑動体１３の四隅には、４つの第一位置決め用孔１３７がそれぞれ形成され、前記矩形切欠部１３５のそばには、組み立てるための２つの第二位置決め用孔１３８がそれぞれ形成されている。
【００１２】
図２及び図３を同時に参照すると、前記ＦＰＣ２０は、第一接続部２１と、中間部２２と、第二接続部２３とを含む薄膜体である。
【００１３】
前記第一接続部２１は、前記中間部２２の一端に一体に形成されている。前記第一接続部２１は、底面に形成される第一コネクタ２１２と、その第一コネクタ２１２の両端にそれぞれ形成される２つの固定用穴２１５（図３を参照）とを含む。前記第一接続部２１は、前記２つの固定用穴２１５を介して前記スライド装置１０に固定される。
【００１４】
前記中間部２２は、付着部２２２と、分離部２２３と、接着部２２４とを含む。前記付着部２２２は、付着部分２２２１と、位置決め部分２２２５とを含む。前記付着部分２２２１の一端は、前記第一接続部２１の一端に一体に連結されている。前記位置決め部分２２２５の一端は、前記付着部２２２の他端に位置し、前記分離部２２３の一端に一体に連結されている。前記ＦＰＣ２０を前記スライド装置１０に装着させる場合、前記付着部分２２２１が前記滑動体１３の底面に当接され、前記位置決め部分２２２５が前記滑動体１３の矩形切欠部１３５に位置する。前記付着部分２２２１と前記位置決め部分２２２５との間には、２つの第一位置決め用穴部２２２３と、２つの第二位置決め用穴部２２２６とが形成されている。
【００１５】
前記分離部２２３の一端は、前記付着部２２２の位置決め部分２２２５の他端に一体に連結され、他端は、前記接着部２２４の一端に一体に連結されている。前記ＦＰＣ２０を前記スライド装置１０に装着させる場合、前記分離部２２３が前記滑動体１３の上面に当接される。前記接着部２２４の一端は、前記分離部２２３の他端に一体に連結され、他端は前記第二接続部２３の一端に接続されている。接着部２２４は、２つの第三位置決め用穴部２２４７と、接着部分２２４８とを含む。前記第三位置決め用穴部２２４７は、それぞれ前記接着部２２４の両側に形成され、前記接着部分２２４８は、前記第三位置決め用穴部２２４７と前記第二接続部２３との間に形成されて、前記ＦＰＣ２０を位置決めする作用を奏する。前記付着部分２２２１と、前記位置決め部分２２２５と、前記接着部分２２４８とには、前記ＦＰＣ２０を前記スライド装置１０に接着させるための接着剤層が形成さている。
【００１６】
前記第二接続部２３は、前記接着部２２４の他端に一体に連結され、且つ底面に第二コネクタ２３２（図２を参照）が形成されている薄膜体である。
【００１７】
図４と図５を参照すると、本発明の治具４０は、本体４１と、分解用部材４２と、圧接装置４３（図６を参照）とを含む。
【００１８】
前記本体４１は、上表面４１１と、その上表面４１１と相対する底面４１２と、４つの支持部４１３と、組み立て部４１４と、分解用部材収納部４１７と、圧接装置収納部４１９と、を含む。前記上表面４１１の一端には、垂直方向へ突出した突出部４１１３が形成され、他端には、垂直方向へ突出した位置決め用突出部４１１５が形成されている。前記上表面４１１の中心附近には、下へ凹んだ矩形の収納槽４１１４が形成されている。前記位置決め用突出部４１１５の高さは、前記突出部４１１３の高さより低い。前記位置決め用突出部４１１５の上表面には、２つの位置決め用柱４１１６が形成されている。
【００１９】
前記４つの支持部４１３は、前記本体４１の四隅にそれぞれ形成されている。前記組み立て部４１４は、前記本体４１の収納槽４１１４に収納されて、組み立てようとする前記ＦＰＣ２０とスライド装置１０とを所定の位置に固定される。前記組み立て部４１４は、組み立て用面４１４１と、４つの第一位置決めピン４１４３と、第一コネクタ挿入部４１４４と、２つの第二位置決めピン４１４５と、４つの第三位置決めピン４１４６と、２つの第四位置決めピン４１４７と、２つの止動部４１４８とを含む。
【００２０】
図５を参照すると、前記組み立て用面４１４１は、前記上表面４１１の収納槽４１１４から上方へ延長して形成され、且つ高さが前記上表面４１１より低い矩形の板状体である。前記突出部４１１３に接近する前記組み立て用面４１４１の一端には、前記ＦＰＣ２０の第一コネクタ２１２と係合するコネクタ用凹部４１４２が形成されている。前記４つの第一位置決めピン４１４３は、前記収納槽４１１４の四隅にそれぞれ形成されている。
【００２１】
前記第一コネクタ挿入部４１４４は、前記コネクタ用凹部４１４２の略中心に形成されて、前記ＦＰＣ２０の第一コネクタ２１２と係合する。前記２つの第二位置決めピン４１４５は、前記第一コネクタ挿入部４１４４の両側に形成されている。前記ＦＰＣ２０を前記治具４０に装着する場合、前記第二位置決めピン４１４５が前記ＦＰＣ２０の固定用穴２１５に挿入されるので、前記第一接続部２１の位置を決めることができる。前記４つの第三位置決めピン４１４６は、前記組み立て面４１４１の四隅にそれぞれ形成されている。前記スライド装置１０を前記治具４０に装着する場合、前記第三位置決めピン４１４６が前記滑動体１３の第一位置決め用孔１３７に挿入されるので、その滑動体１３の位置を決めることができる。前記第四位置決めピン４１４７は、前記位置決め用突出部４１１５に接する前記組み立て用面４１４１の上表面に形成されている。前記スライド装置１０を前記治具４０に装着する場合、前記第四位置決めピン４１４７が前記滑動体１３の第二位置決め用孔１３８に挿入されるので、その滑動体１３と前記ＦＰＣ２０の位置を決めることができる。
【００２２】
前記２つの止動部４１４８は、それぞれ前記収納槽４１１４の両側に略“Ｌ形”に形成されている。前記止動部４１４８により、前記収納槽４１１４と前記止動部４１４８との間に止動槽４１４９が形成される。前記スライド装置１０を前記治具４０に装着する場合、前記スライド装置１０の固定体１１の前記止動槽４１４９に係合されるので、固定体１１が上下へ移動することができない。
【００２３】
前記分解用部材収納部４１７は、前記本体４１の一端から、前記上表面４１１に平行する方向に沿って内部へ形成されている。前記分解用部材収納部４１７により、前記本体４１と前記突出部４１１３とが隣接する箇所に開口部４１７２が形成される。前記分解用部材収納部４１７の天頂には、前記ＦＰＣ２０の第二コネクタ２３２と係合する第二コネクタ挿入部４１７５（図７を参照）が形成されている。
【００２４】
図８を参照すると、前記圧接装置収納部４１９は、２つの収納部４１９１と、２つの収納穴部４１９３と、圧接装置通過用穴４１９５とを含む。前記２つの収納部４１９１は、前記位置決め用突出部４１１５の両側に形成されている。前記収納部４１９１は、前記本体４１の上表面４１１から底面４１２へ凹んで形成され、且つ前記上表面４１１の収納槽４１１４に貫通された矩形の凹部である。前記収納穴部４１９３は、前記収納部４１９１の底面から前記本体４１の底面まで貫通された矩形の穴部である。前記圧接装置通過用穴４１９５は、前記位置決め用突出部４１１５と前記組み立て用面４１４１との間に形成され、且つ前記本体４１の上表面４１１から底面４１２まで貫通されている。
【００２５】
図７と図８を参照すると、前記分解用部材４２は、装着用穴４２１と、コネクタ用穴４２３とを含む板状体である。前記装着用穴４２１は、前記分解用部材４２の一端に形成され、ネジ又は他の固定手段を介して前記分解用部材４２を前記分解用部材収納部４１７の天頂に固定させる。前記コネクタ用穴４２３は、前記分解用部材４２の中心に形成され、且つサイズが前記第二コネクタ挿入部４１７５のサイズより少し大きい矩形の穴である。前記分解用部材４２を前記治具４０に装着する場合、前記第二コネクタ挿入部４１７５が前記コネクタ用穴４２３に挿入され、前記分解用部材４２の他端が前記分解用部材収納部４１７の外部に露出される。
【００２６】
図６と図８を参照すると、前記圧接装置４３は、前記本体４１の圧接装置収納部４１９に収納されている。その圧接装置４３は、挿入体４４と、移動部材４５と、２つのスプリング４６と、２つの連動部材４７と、台座４９とを含む。
【００２７】
前記挿入体４４は、前記圧接装置収納部４１９の圧接装置通過用穴４１９５の収納されている。その挿入体４４は、一端に形成される圧接端４４２と、他端に形成される作用端４４５とを含む。前記作用端４４５の両側は、対称に形成される斜面がそれぞれ形成されている。
【００２８】
前記移動部材４５は、前記圧接装置収納部４１９の収納部４１９１に収納されて、前記連動部材４７に推進力を提供する。前記移動部材４５は、主体４５２と、ストップ構造４５３と、当接平面４５４と、係合構造４５５とを含む。前記主体４５２の一端には、前記ストップ構造４５３が突出して形成され、他端には前記当接平面４５４が形成されている。前記係合構造４５５は、前記主体４５２の側壁に歯状に形成されている。即ち、前記係合構造４５５は、前記主体４５２の側壁に垂直に形成される突出部に、複数の直角三角形切欠部が切削して形成されるものである。前記直角三角形切欠部により、前記係合構造４５５に互いに平行する複数の斜面４５６が形成される。
【００２９】
前記スプリング４６は、前記本体４１の圧接装置収納部４１９に収納される螺旋スプリングである。前記圧接装置収納部４１９の内部で、前記スプリング４６の一端は前記移動部材４５の当接平面４５４に当接され、他端は前記圧接装置収納部４１９の収納部４１９１の底面に当接される。他の実施形態では、前記スプリング４６の代わりにゴムなどの弾性体を使用することができる。
【００３０】
図６と図８を参照すると、前記連動部材４７は、ベット部４７１と、垂直部４７２とを含む。前記ベット部４７１は、Ｌ形に形成される第一部分４７１１及び第二部分４７１２を含む。前記第一部分４７１１の上表面には、三角形の切欠部４７１３が形成されている。前記切欠部４７１３の幅が前記挿入体４４の厚さより少し大きく、前記作用端４４５の斜面が滑動可能に前記切欠部４７１３に係合される。前記垂直部４７２は、前記ベット部４７１に垂直に形成されている。前記垂直部４７２の側面には、前記移動部材４５の係合構造４５５と係合する歯状体４７２３が形成されている。
【００３１】
前記台座４９は、前記治具４０及び前記連動部材４７装着する略板状体である。前記台座４９の上表面には、一端が開口した凹部４９０が形成されている。前記凹部４９０の底面４９５の周囲は、第一側壁４９１と、第二側壁４９２と、第三側壁４９３とが垂直に形成されている。前記複数の側壁で、第一側壁４９１及び第三側壁４９３は互いに平行し、前記第二側壁４９２は前記第一側壁４９１及び第三側壁４９３と垂直に配置される。前記第一側壁４９１及び第三側壁４９３の上端の両端には、前記台座４９を前記本体４１の底面４１２に固定させるための２つの穴部４９６がそれぞれ形成されている。
【００３２】
図４と図８を参照すると、前記治具４０を組み立てる場合、まず前記分解用部材４２が前記本体４１の分解用部材収納部４１７に装着される。この時、前記装着用穴４２１が形成された前記分解用部材４２の一端が前記分解用部材収納部４１７の内部に位置し、他端が前記分解用部材収納部４１７の開口部４１７２から本体４１の外部に露出し、且つ前記分解用部材収納部４１７の第二コネクタ挿入部４１７５が前記分解用部材４２のコネクタ用穴４２３に入るようにする。次に、前記分解用部材４２の装着用穴４２１にネジなどの固定手段を設置して、その分解用部材４２を前記分解用部材収納部４１７の内部に固定させる。
【００３３】
次に、前記圧接装置４３を前記本体４１の圧接装置収納部４１９に装着して、前記２つの連動部材４７の垂直部４７２がそれぞれ前記本体４１の２つの収納穴部４１９３に入り、２つの連動部材４７は互いに向き合うようにする。次に、前記連動部材４７のベット部４７１が前記台座４９の凹部４９０に設置されるように、その台座４９を前記本体４１の底面４１２に装着する。その後、前記台座４９の穴部４９６にネジ等を設置し、その台座４９を前記本体４１の底面４１２に固定させる。次に、前記挿入体４４を前記本体４１の圧接装置通過用穴４１９５に挿入し、前記挿入体４４の作用端４４５が前記連動部材４７の切欠部４７１３に当接されるようにする。次に、前記移動部材４５を前記本体４１の圧接装置収納部４１９に収納させる。この時、前記移動部材４５のストップ構造４５３が前記本体４１の突出部４１１３を向き、前記係合構造４５５が前記歯状体４７２３に係合するようにする。これにより、前記スプリング４６が前記移動部材４５の当接平面４５４と、前記圧接装置収納部４１９の側壁との間に当接される。これまで、前記治具４０の組み立てが完了する。
【００３４】
以下、前記治具４０を介して前記スライド装置４０と前記ＦＰＣ２０とを組み立てる過程を説明する。前記ＦＰＣ２０に前記スライド装置４０を装着する過程は、以下のステップを含む。
【００３５】
第一ステップで、図４と図９に示したように、前記ＦＰＣ２０を前記本体４１の組み立て用面４１４１に乗せる。次に、前記ＦＰＣ２０の第一接続部２１を前記組み立て用面４１４１のコネクタ用凹部４１４２に係合させて、前記第一接続部２１の第一コネクタ２１２が前記コネクタ用凹部４１４２の第一コネクタ挿入部４１４４に係合し、前記第一接続部２１の固定用穴２１５が前記コネクタ用凹部４１４２の第二位置決めピン４１４５に係合されるようにする。次に、前記ＦＰＣ２０の中間部２２の第一位置決め用穴部２２２３を前記組み立て用面４１４１の第四位置決めピン４１４７に係合させる。
【００３６】
第二ステップで、図９と図１０に示したように、前記スライド装置１０の滑動体１３が前記治具４０の組み立て用面４１４１を向くように、そのスライド装置１０を前記組み立て用面４１４１の前記ＦＰＣ２０の上に載せる。この時、前記組み立て用面４１４１の四隅に形成される第一位置決めピン４１４３によって、前記滑動体１３の位置が決まる。次に、前記滑動体１３の第一位置決め用孔１３７と第二位置決め用孔１３８とを、それぞれ前記組み立て用面４１４１の第三位置決めピン４１４６と第四位置決めピン４１４７とに挿入させ、その滑動体１３を所定の位置に固定する。次に、前記スライド装置１０を押して、前記ＦＰＣ２０の中間部２２の付着部分２２２１が、前記滑動体１３の底面に付着するようにする。次に、前記スライド装置１０の固定体１１を移動させて、その固定体１１が前記組み立て用面４１４１の第一位置決めピン４１４３に当接するようにする。
【００３７】
第三ステップで、図１０と図１１に示したように、前記滑動体１３の矩形切欠部１３５に沿って、前記ＦＰＣ２０を上方向へ曲げる。次に、前記ＦＰＣ２０の中間部２２の第二位置決め用穴部２２２６を、前記組み立て用面４１４１の第四位置決めピン４１４７に係合させる。次に、接着剤等を介して、前記ＦＰＣ２０の中間部２２の位置決め部分２２２５を前記滑動体１３の上表面に付着させる。
【００３８】
第四ステップで、図１１と図１２に示したように、前記ＦＰＣ２０の付着部２２２と分離部２２３との間の接続線に沿って、前記ＦＰＣ２０を前記突出部４１１３から遠ざかる方向へ曲げた後、そのＦＰＣ２０を前記治具４０の挿入体４４と位置決め用突出部４１１５とに当接させる。次に、前記ＦＰＣ２０の接着部２２４の第三位置決め用穴部２２４７を前記治具４０の位置決め用突出部４１１５の位置決め用柱４１１６に係合させる。
【００３９】
第五ステップで、図１２と図１３に示したように、前記スライド装置１０の固定体１１を前記挿入体４４の方向へ移動させ、その固定体１１が前記止動部４１４８と止動槽４１４９とに係合されるようにする。次に、前記ＦＰＣ２０の分離部２２３と接着部２２４との接続線に沿って、ＦＰＣ２０を前記突出部４１１３の方向へ再度曲げて、そのＦＰＣ２０を前記固定体１１の切欠部１１３に係合させる。次に、前記固定体１１を前記挿入体４４の方向へ移動させ、前記固定体１１の当接部１１５が前記挿入体４４の上方に置かれ、且つ前記移動部材４５のストップ構造４５３が前記固定体１１に当接され、前記移動部材４５が前記挿入体４４の方向へ移動するようにする。前記移動部材４５の係合構造４５５が前記連動部材４７の歯状体４７２３に係合されているので、前記連動部材４７が前記位置決め用突出部４１１５の側へ移動する。且つ、前記連動部材４７の切欠部４７１３が前記挿入体４４作用端４４５に当接されているので、前記挿入体４４が上方向へ移動し、最終前記固定体１１の当接部１１５に当接される。前記スライド装置１０の固定体１１が前記止動槽４１４９に係合されて上下へ移動することができないので、前記固定体１１の当接部１１５が接着剤などを介して前記ＦＰＣ２０の中間部２２に接着されることができる。
【００４０】
第六ステップで、図１３と図１４に示したように、前記当接部１１５の輪郭に沿って、前記ＦＰＣ２０の接着部２２４を前記突出部４１１３の側へ再度曲げる。次に、接着剤などを介して前記接着部２２４の接着部分２２４８を前記固定体１１の突出部１１４に接着させる。
【００４１】
第七ステップで、図１４と図１５に示したように、前記固定体１１を前記突出部４１１３の側、即ち初めの位置へ移動させる。次に、前記分解用部材収納部４１７の開口部４１７２を介して、前記ＦＰＣ２０の第二コネクタ２３２を前記第二コネクタ挿入部４１７５に挿入させる。次に、前記治具４０に外部の測定装置を電気接続させ、治具４０に装着される前記ＦＰＣ２０の状態を測定することができる。測定する工程が終わると、前記上表面４１１に垂直の方向へ前記分解用部材４２を押して、分解用部材４２のコネクタ用穴４２３と前記分解用部材収納部４１７の第二コネクタ挿入部４１７５とを分離させる。従って、前記ＦＰＣ２０の第二コネクタ２３２を分離することができる。最後、組み立てられたスライド装置１０とＦＰＣ２０とを治具４０から分離させる。
【００４２】
上述したように、前記治具４０は、前記組み立て用面４１４１と圧接装置４３とを介して、前記スライド装置１０とＦＰＣ２０とを迅速に、正確に組み立てることができる。即ち、スライド装置１０とＦＰＣ２０とを組み立てる効率を向上させることができる。且つ、前記治具４０で前記スライド装置１０とＦＰＣ２０とを組み立てる場合、前記ＦＰＣ２０の各種の部材が前記スライド装置１０の所定の位置に正確に組み立てられるので、組み立て品質を向上させることができる。
【図面の簡単な説明】
【００４３】
【図１】本発明の実施形態に係る治具を使用して組み立てようとするスライド装置とＦＰＣの分解斜視図である。
【図２】図１に示したスライド装置とＦＰＣの組み立て状態を示す斜視図である。
【図３】図１に示したスライド装置とＦＰＣの組み立て状態を示す他の方向への斜視図である。
【図４】本発明の実施形態に係る治具を示す斜視図である。
【図５】本発明の実施形態に係る治具の本体を示す斜視図である。
【図６】本発明の実施形態に係る治具の圧接装置を示す分解斜視図である。
【図７】本発明の実施形態に係る治具の底面を示す斜視図である。
【図８】図７に示す治具の分解斜視図である。
【図９】本発明の実施形態に係る治具を使用してスライド装置とＦＰＣを組み立てる第一ステップを示す斜視図である。
【図１０】本発明の実施形態に係る治具を使用してスライド装置とＦＰＣを組み立てる第二ステップを示す斜視図である。
【図１１】本発明の実施形態に係る治具を使用してスライド装置とＦＰＣを組み立てる第三ステップを示す斜視図である。
【図１２】本発明の実施形態に係る治具を使用してスライド装置とＦＰＣを組み立てる第四ステップを示す斜視図である。
【図１３】本発明の実施形態に係る治具を使用してスライド装置とＦＰＣを組み立てる第五ステップを示す斜視図である。
【図１４】本発明の実施形態に係る治具を使用してスライド装置とＦＰＣを組み立てる第六ステップを示す斜視図である。
【図１５】本発明の実施形態に係る治具を使用してスライド装置とＦＰＣを組み立てる第七ステップを示す斜視図である。
【符号の説明】
【００４４】
１０  スライド装置
１１  固定体
１１１  第一表面
１１３  切欠部
１１４  突出部
１１５  当接部
１１６  滑動用槽
１３  滑動体
１３２  係合部
１３５  矩形切欠部
１３７  第一位置決め用孔
１３８  第二位置決め用孔
１５  復帰手段
２０  フレキシブルプリント基板
２１  第一接続部
２１２  第一コネクタ
２１５  固定用穴
２２  中間部
２２２  付着部
２２２１  付着部分
２２２３  第一位置決め用穴部
２２２６  第二位置決め用穴部
２２２５  位置決め部分
２２３  分離部
２２４  接着部
２２４７  第三位置決め用穴部
２２４８  接着部分
２３  第二接続部
２３２  第二コネクタ     
４０  治具
４１  本体
４１１  上表面
４１１３  突出部
４１１４  収納槽
４１１５  位置決め用突出部
４１１６  第一位置決め用柱
４１２  底面
４１３  支持部
４１４  組み立て部
４１４１  組み立て用面
４１４２  コネクタ用凹部
４１４３  第一位置決めピン
４１４４  第一コネクタ挿入部
４１４５  第二位置決めピン
４１４６  第三位置決めピン
４１４７  第四位置決めピン
４１４８  止動部
４１４９  止動槽
４１７  分解用部材収納部
４１７２  開口部
４１７５  第二コネクタ挿入部
４１９  圧接装置収納部
４１９１  収納部
４１９３  収納穴部
４１９５  圧接装置通過用穴
４２  分解用部材
４２１  装着用穴
４２３  コネクタ用穴
４３  圧接装置
４４  挿入体
４４２  圧接端
４４５  作用端
４５  移動部材
４５２  主体
４５３  ストップ構造
４５４  当接平面
４５５  係合構造
４５６  斜面
４６  スプリング
４７  連動部材
４７１  ベット部
４７１１  第一部分
４７１２  第二部分
４７１３  切欠部
４７２  垂直部
４７２３  歯状体
４９  台座
４９０  凹部
４９１  第一側壁
４９２  第二側壁
４９３  第三側壁
４９５  底面
４９６  穴部
【図１】
0005112974.tif 000002
【図２】
0005112974.tif 000003
【図３】
0005112974.tif 000004
【図４】
0005112974.tif 000005
【図５】
0005112974.tif 000006
【図６】
0005112974.tif 000007
【図７】
0005112974.tif 000008
【図８】
0005112974.tif 000009
【図９】
0005112974.tif 000010
【図１０】
0005112974.tif 000011
【図１１】
0005112974.tif 000012
【図１２】
0005112974.tif 000013
【図１３】
0005112974.tif 000014
【図１４】
0005112974.tif 000015
【図１５】
0005112974.tif 000016